(57)【要約】【課題】メッシュ型ネットワーク中にリングネットワークを形成する場合の制限を緩和し、これによりネットワーク構築の自由度をより高めたノード装置および制御バイト伝送方法を提供する。【解決手段】入力インタフェース部２１〜２４で分離されたＫバイトをそれぞれ２分岐し、一方をＡＰＳ制御部５０に導き、他方をＫバイトスイッチ部６０に導く。ＡＰＳ制御部５０はＫバイトの内容を書きかえるが、Ｋバイトスイッチ部６０は導入されたＫバイトをそのまま透過的に通過させる。またＫバイトスイッチ部６０を、伝送信号を交換接続するクロスコネクトスイッチ部４０と連動させ、Ｋバイトを分離元の伝送信号が接続される出力インタフェース部に導くようにする。さらに、出力インタフェース部３１〜３４において、導かれたＫバイトを伝送信号に多重する。【選択図】　　図２
2004140574.tif 000002
【特許請求の範囲】
【請求項１】
セクション終端されるヘッダ部を有する伝送信号を伝送するノード装置において、
前記ヘッダ部に定義されノード識別子が規定ビット数で記述される領域を含む制御バイトを、隣接するノード装置に透過的に伝送する制御バイト伝送手段を具備することを特徴とするノード装置。
【請求項２】
セクション終端されるヘッダ部を有する伝送信号を伝送する複数のノード装置を任意のトポロジで接続した伝送システムに備えられる前記ノード装置において、
上流側セクションを挟んで隣接するノード装置から受信した伝送信号のヘッダ部から、ノード識別子が規定ビット数で記述される領域を含む制御バイトを分離する分離手段と、
下流側セクションを挟んで隣接するノード装置に前記分離手段で分離された制御バイトを分離元の前記伝送信号に多重して透過的に伝送する制御バイト伝送手段とを具備することを特徴とするノード装置。
【請求項３】
通信回線を介して接続される複数のノード装置を備える伝送システムに備えられ、セクション終端されるヘッダ部を有する伝送信号を前記通信回線を介して伝送する前記ノード装置において、
上流側セクションを挟んで隣接するノード装置から受信した伝送信号のヘッダ部から、ノード識別子が規定ビット数で記述される領域を含む制御バイトを分離する分離手段と、
この分離手段で前記制御バイトが分離された状態の伝送信号を当該伝送信号の宛先ノード装置に至る出方路に接続するクロスコネクトスイッチと、
このクロスコネクトスイッチのスイッチング状態に連動し、前記分離手段で分離された制御バイトを分離元の伝送信号が接続された出方路に導く制御バイト用スイッチ部と、
この制御バイト用スイッチ部から出力される制御バイトを前記クロスコネクトスイッチを経由した伝送信号に多重する多重手段とを具備することを特徴とするノード装置。
【請求項４】
さらに、前記分離手段で分離された制御バイトに記述される情報を書き換える書き換え手段と、
前記分離手段で分離された制御バイトを２分岐し、一方を前記制御バイト用スイッチ部に導き他方を前記書き替え手段に導く分岐手段と、
前記制御バイト用スイッチ部から出力される制御バイトおよび前記書き替え手段から出力される制御バイトのいずれか一方を選択的に前記多重手段に入力する選択手段とを具備することを特徴とする請求項３に記載のノード装置。
【請求項５】
前記伝送システムはＳＤＨ（Ｓｙｎｃｈｒｏｎｏｕｓ　Ｄｉｇｉｔａｌ　Ｈｉｅｒａｒｃｈｙ）またはＳＯＮＥＴ（Ｓｙｎｃｈｒｏｎｏｕｓ　Ｏｐｔｉｃａｌ　Ｎｅｔｗｏｒｋ）に準拠し、トラフィック救済機能を備える同期多重伝送システムであり、
前記制御バイトは、前記トラフィック救済機能の実現に係わるＫ１バイトおよびＫ２バイトであることを特徴とする請求項３に記載のノード装置。
【請求項６】
セクション終端されるヘッダ部を有する伝送信号を伝送する複数のノード装置を具備する伝送システムで前記ヘッダ部に定義されノード識別子が規定ビット数で記述される領域を含む制御バイトを伝送する制御バイト伝送方法であって、
前記ノード装置において前記ヘッダ部がセクション終端された後に、少なくとも前記制御バイトを隣接するノード装置に透過的に伝送するステップを含むことを特徴とする制御バイト伝送方法。
【発明の詳細な説明】
【０００１】
【発明の属する技術分野】
本発明は、例えばＳＤＨ（Ｓｙｎｃｈｒｏｎｏｕｓ　Ｄｉｇｉｔａｌ　Ｈｉｅｒａｒｃｈｙ）またはＳＯＮＥＴ（Ｓｙｎｃｈｒｏｎｏｕｓ　Ｏｐｔｉｃａｌ　Ｎｅｔｗｏｒｋ）などの標準化方式に準拠するディジタル信号伝送システムで用いられるノード装置と、このノード装置を介した制御バイトの伝送方法に関する。
【０００２】
【従来の技術】
広い伝送帯域、耐障害性能、伝送品質など、ネットワークに対する要求はますます多様になってきている。このような要求に応えるのに都合の良いネットワーク形態としてメッシュ型ネットワークが知られている。
この種のネットワークでは、伝送路の物理的なルーティングプロトコルによりネットワークトポロジを確立するようになっている。また伝送路障害などの場合には、ネットワークトポロジの変化をトリガとしてネットワークトポロジを更新し、その後にトラフィックの迂回ルートを計算により算出して再設定するようになっている。この種のプロテクション方式はメッシュレストレーションと称される。
【０００３】
ところで、メッシュレストレーションの動作速度はルーティングプロトコルの処理速度に大きく依存するため、障害発生からトラフィック復旧までに多くの時間を要するという不具合がある。よってメッシュ型ネットワークを構築するにあたっては部分的にリング形態のネットワークを形成し、リングネットワークが備える高速かつ信頼性の高いプロテクション機能を利用することが必要となる。リングネットワークのプロテクション機能としては、伝送フレームのＳＯＨ（Ｓｅｃｔｉｏｎ　Ｏｖｅｒｈｅａｄ）に定義されるＫ１，Ｋ２バイトを用いるＭＳ−ＳＰＲｉｎｇが知られている。
【０００４】
しかしながらこの方式においてはＫ１，Ｋ２バイトに記述されるノード識別子が４ビットしかないことから、リングネットワークを構成するノード装置の数が最大１６までに制約される。またこの方式においてはセグメント毎にセクション終端が行なわれるため、たとえドロップトラフィックの無いノード装置であってもノード数にカウントされることになる。
【０００５】
メッシュ型ネットワークの本来の利点は、ドロップトラフィックの有無にかかわらず任意のポイントにノード装置を設置でき、自由にネットワークを構築できることにある。しかしながら、高性能のプロテクション機能を得るためにメッシュ型ネットワークに仮想的なリングネットワークを内在させると、このリングネットワークにおけるノード数が制限されるため、上記の利点が損なわれることになる。
【０００６】
【発明が解決しようとする課題】
このように従来では、メッシュ型ネットワーク中にリングネットワークを形成するにあたりリングネットワークが備えるプロテクション機能上の制約から、設置可能なノード数が制限される。このためネットワーク構築の自由度が阻害されるという不具合がある。
【０００７】
本発明は上記事情によりなされたもので、その目的は、メッシュ型ネットワーク中にリングネットワークを形成する場合の制限を緩和し、これによりネットワーク構築の自由度をより高めたノード装置および制御バイト伝送方法を提供することにある。
【０００８】
【課題を解決するための手段】
上記目的を達成するために本発明は、セクション終端されるヘッダ部を有する伝送信号を伝送するノード装置において、前記ヘッダ部に定義されノード識別子が規定ビット数で記述される領域を含む制御バイトを、隣接するノード装置に透過的に伝送する制御バイト伝送手段を具備することを特徴とする。
【０００９】
このような手段を講じることにより、メッシュ型ネットワーク中にリングネットワークを形成する場合、隣接するノード装置に例えばＫバイトなどの制御バイトを透過的に伝送し得るノード装置を含めたネットワーク構成が可能となる。このような機能を持つノード装置はノード数としてカウントされないため、台数に関する制限を緩和でき、従ってネットワーク構築の自由度をより高めることが可能になる。
【００１０】
より具体的には、本発明は、通信回線を介して接続される複数のノード装置を備える伝送システムに備えられ、セクション終端されるヘッダ部を有する伝送信号を前記通信回線を介して伝送する前記ノード装置において、上流側セクションを挟んで隣接するノード装置から受信した伝送信号のヘッダ部から、ノード識別子が規定ビット数で記述される領域を含む制御バイトを分離する分離手段と、この分離手段で前記制御バイトが分離された状態の伝送信号を当該伝送信号の宛先ノード装置に至る出方路に接続するクロスコネクトスイッチと、このクロスコネクトスイッチのスイッチング状態に連動し、前記分離手段で分離された制御バイトを分離元の伝送信号が接続された出方路に導く制御バイト用スイッチ部と、多重手段とを備える。そして、多重手段により、前記制御バイト用スイッチ部から出力される制御バイトを前記クロスコネクトスイッチを経由した伝送信号に多重するようにした。
【００１１】
このような構成であるから、クロスコネクトスイッチに入力される前に終端されたヘッダ部に含まれる制御バイト（例えばＫバイト）は、クロスコネクトスイッチを経由した伝送信号にその出方路側において多重され、隣接ノード装置にまで伝送される。すなわちＫバイト情報は、終端されたノード装置においてその内容が変化することなく、いわば透過的に伝送される。これによりプロテクション機能からは当該ノード装置が存在しないように見えるようになるので、その結果、ノード装置数制限を越えて仮想的なリングネットワークを構築することが可能になる。
【００１２】
【発明の実施の形態】
以下、図面を参照して本発明の実施の形態を詳細に説明する。
図１は本実施形態に係わるノード装置（以下ノードと称する）１を有して構成されるメッシュ型ネットワークの例を示している。ノード１（１−１〜１−１９）は、例えばＳＤＨまたはＳＯＮＥＴなどの標準化方式に準拠するディジタル信号伝送システムに用いられる光クロスコネクト装置により実現される。
【００１３】
ノード１は、他のノード１と相互に伝送路（光ファイバ伝送路）を介して接続され、メッシュ状のトポロジを持つネットワークを構築する。また、本実施形態におけるメッシュ型ネットワークでは、図中、太線で表すような仮想的なリングネットワークを構築することができる。リングネットワークの構築は、ネットワークを構成するノード１を管理するネットワーク管理装置（図示せず）の制御もとで構築されるものでも良いし、各ノード１が相互に情報を交換することによって構築されるものでも良い。このため各ノード１は、他のノードとの間で仮想的リングネットワークを構築する機能を備える。
【００１４】
この機能の一部として、ＡＰＳ（Ａｕｔｏｍａｔｉｃ　Ｐｒｏｔｅｃｔｉｏｎ　Ｓｗｉｔｃｈｉｎｇ）として知られるプロテクション機能がある。ＡＰＳはネットワークに障害が生じた場合に予備系を利用して現用系トラフィックを救済する機能である。
【００１５】
図２は、図１に示されるノード１の構成を示す機能ブロック図である。このノード１は、４系統の入力伝送路（ライン）と４系統の出力ラインとに接続される。各ラインはそれぞれＥａｓｔ側およびＷｅｓｔ側のいずれかに分類され、さらにサービス系とプロテクション系とに区別される。Ｅａｓｔ側、Ｗｅｓｔ側とは、リングネットワークにおけるノードの位置関係を示すために用いられる用語である。例えば図１においてノード１−１５に着目すると、ノード１−１４はＷｅｓｔ側に、ノード１−１６はＥａｓｔ側に位置する。またノード１−１４にとっては、ノード１−１５はＥａｓｔ側に位置する。
【００１６】
図２のノード１は、各ラインのいずれかに対応する４系統の入方路と出方路とを備える。図２において、Ｗｅｓｔ側入力サービスライン１１は入力インタフェース（Ｉ／Ｆ）部２１により終端される。Ｗｅｓｔ側入力プロテクションライン１２は入力インタフェース（Ｉ／Ｆ）部２２により終端される。Ｅａｓｔ側入力サービスライン１３は入力インタフェース（Ｉ／Ｆ）部２３により終端される。Ｅａｓｔ側入力プロテクションライン１４は入力インタフェース（Ｉ／Ｆ）部２４により終端される。
【００１７】
Ｗｅｓｔ側出力サービスライン１５は入力インタフェース（Ｉ／Ｆ）部３１により終端される。Ｗｅｓｔ側出力プロテクションライン１６は出力インタフェース（Ｉ／Ｆ）部３２により終端される。Ｅａｓｔ側出力サービスライン１７は出力インタフェース（Ｉ／Ｆ）部３３により終端される。Ｅａｓｔ側出力プロテクションライン１８は出力インタフェース（Ｉ／Ｆ）部３４により終端される。
【００１８】
各入力インタフェース部２１〜２４はそれぞれ受信した伝送信号を光／電変換し、クロスコネクトスイッチ４０に入力する。クロスコネクトスイッチ４０はこれらの電気信号を出力インタフェース部３１〜３４のいずれかに選択的に接続する。これにより任意の入方路を任意の出方路に接続することができ、リングネットワーク内に伝送パスを自由に設定することができる。
【００１９】
ところで、入力インタフェース部２１〜２４は光電変換した伝送信号のＳＯＨからＫ１バイト，Ｋ２バイト（以下Ｋバイトと称する）を分離する機能を備える。分離されたＫバイトは２系統に分岐され、それぞれＡＰＳ制御部５０とＫバイトスイッチ部６０とに入力される。Ｋ１バイトの下位４ビットには送出元ノードのＩＤ（識別子）が記述される。Ｋ２バイトの上位４ビットには宛先ノードのＩＤ（識別子）が記述される。いずれのＩＤも４ビットで記述されるため、ＡＰＳが動作することのできるノードの数は１６までということになる。
【００２０】
ＡＰＳ制御部５０はＡＰＳの動作制御に係わり、主としてＡＰＳの制御内容に応じてノードＩＤなどのＫバイトに記述される情報を書き換える機能を有する。Ｋバイトスイッチ部６０はクロスコネクトスイッチ４０のスイッチング状態に連動し、入力Ｉ／Ｆ部で分離されたＫバイトを、分離元の伝送信号が接続される出力Ｉ／Ｆ部に透過的に導く。
【００２１】
図３は図２に示される入力インタフェース部２１〜２４の要部構成を示すブロック図である。図示されるように入力インタフェース部２１〜２４は、Ｋバイト分離部７０を備える。Ｋバイト分離部７０は、上流側セクションを挟んで隣接するノード１から受信した伝送信号のＳＯＨからＫバイトを分離する。分離されたＫバイトは上記したようにＡＰＳ制御部５０とＫバイトスイッチ部６０とに分配される。
【００２２】
図４は図２に示される出力インタフェース部３１〜３４の要部構成を示すブロック図である。図示されるように出力インタフェース部３１〜３４は、セレクタ８０と、Ｋバイト多重部９０とを備える。セレクタ８０は、ＡＰＳ制御部５０において書き換えられたＫバイト、または、Ｋバイトスイッチ部６０を経由した分離したままのＫバイトのいずれか一方を選択的にＫバイト多重部９０に入力する。Ｋバイト多重部９０は、セレクタ８０を介して与えられたＫバイトを、クロスコネクトスイッチ４０を経由した伝送信号のＳＯＨに多重する。
【００２３】
次に、上記構成における作用を説明する。図１において、細線は物理的なリンクを示し、ネットワークのトポロジはメッシュ型である。このネットワークにおいて太線で示される仮想リングを設定する。
【００２４】
図１においては、ノード１−１〜１−１７の１７のノードによりリングネットワークが構築される。ノード１−１〜１−１７のうち、ノード１−１，１−４，１−５，１−７，１−９，１−１１，１−１２，１−１７がトラフィックをアドドロップ（ａｄｄ／ｄｒｏｐ）するためのノード（以下、リングノード）であり、その他がトラフィックを通過させるだけのノード（以下、通過ノード）である。リングノードと通過ノードは、仮想的なリングネットワークが構築される際に設定される。
【００２５】
ＳＤＨ伝送方式では各リンク（セクション）においてオーバヘッドが終端されるため、トポロジ上の物理的なリンクのため、トラフィックのアドドロップに関係しない通過ノードもリング上の１つのノードとして認識されることになる。
【００２６】
そこで本実施形態では、入力インタフェース部２１〜２４で分離されたＫバイトをそれぞれ２分岐し、一方をＡＰＳ制御部５０に導き、他方をＫバイトスイッチ部６０に導く。ＡＰＳ制御部５０はＫバイトの内容を書きかえるが、Ｋバイトスイッチ部６０は導入されたＫバイトをそのまま透過的に通過させる。またＫバイトスイッチ部６０を、伝送信号を交換接続するクロスコネクトスイッチ部４０と連動させ、Ｋバイトを分離元の伝送信号が接続される出力インタフェース部に導くようにする。さらに、出力インタフェース部３１〜３４において、導かれたＫバイトを伝送信号に多重するようにする。
【００２７】
このようにしたので、伝送信号が例えばＥａｓｔ側入力サービスライン１３からＷｅｓｔ側出力サービスライン１５への通過トラフィックに設定されている場合、この伝送信号に多重されているＫバイトはその内容が変化することなく、透過的に当該ノードを通過する。よってＡＰＳからは、当該ノードが、プロテクション機能に影響を与えないノードとして等価的に認識される。すなわちこのノードはリングネットワークに存在しないとしてＡＰＳから認識されるので、ノードの個数制限から外れることになる。従って、メッシュ型ネットワーク中にリングネットワークを形成する場合の制限を緩和することができ、これによりネットワーク構築の自由度をより高めることが可能となる。
【００２８】
また本実施形態ではセレクタ８０を設け、ＡＰＳ制御部５０により書き換えられたＫバイト、あるいは分離されたままのＫバイトのいずれかを選択的に多重して出力できるようにしている。このためセレクタ８０の切り替え設定のみで、同一のノードをリングノード、あるいは通過ノードとして選択的に動作させることができ、ネットワーク運用上の便宜を更に向上させることが可能となる。
【００２９】
【発明の効果】
以上詳しく述べたように本発明によれば、メッシュ型ネットワーク中にリングネットワークを形成する場合の制限を緩和でき、これによりネットワーク構築の自由度をより高めたノード装置および制御バイト伝送方法を提供することができる。
【図面の簡単な説明】
【図１】本発明の実施の形態に係わるノード１を備えるメッシュ型ネットワークの一例を示す図。
【図２】図１に示されるノード１の構成を示す機能ブロック図。
【図３】図２に示される入力インタフェース部２１〜２４の要部構成を示すブロック図。
【図４】図２に示される出力インタフェース部３１〜３４の要部構成を示すブロック図。
【符号の説明】
１（１−１〜１−１９）…ノード装置
１１…Ｗｅｓｔ側入力サービスライン
１２…Ｗｅｓｔ側入力プロテクションライン
１３…Ｅａｓｔ側入力サービスライン
１４…Ｅａｓｔ側入力プロテクションライン
１５…Ｗｅｓｔ側出力サービスライン
１６…Ｗｅｓｔ側出力プロテクションライン
１７…Ｅａｓｔ側出力サービスライン
１８…Ｅａｓｔ側出力プロテクションライン
２１〜２４…入力インタフェース部
３１〜３４…出力インタフェース部
４０…クロスコネクトスイッチ
５０…ＡＰＳ制御部
６０…Ｋバイトスイッチ部
７０…Ｋバイト分離部
８０…セレクタ
９０…Ｋバイト多重部
【図１】
2004140574.tif 000003
【図２】
2004140574.tif 000004
【図３】
2004140574.tif 000005
【図４】
2004140574.tif 000006